(57)【特許請求の範囲】
【請求項１】
生体情報測定装置と、端末装置と、サーバ装置とを有する解析システムであって、
前記端末装置は、
前記サーバ装置から利用者の生体情報を受信する受信手段と、
前記生体情報についての診断名の入力を受付ける受付手段と、
入力された前記診断名を示す診断名情報を前記サーバ装置へ送信する送信手段と
を具備し、
前記サーバ装置は、
前記生体情報測定装置から前記生体情報を受信し、前記端末装置から前記診断名情報を受信する通信手段と、
前記生体情報に所定の特徴が含まれているか解析し、前記生体情報に前記所定の特徴が含まれていた場合に、前記生体情報と前記診断名情報とを対応づけて記憶手段に記憶させる解析手段と、
前記所定の特徴を持った前記生体情報及び前記特徴情報と、前記所定の特徴を持った前記生体情報とは異なる、過去に取得された前記生体情報である履歴生体情報、及び前記履歴生体情報に対応する履歴特徴情報とに基づき、前記診断名情報の確度を示す確度情報を導出する診断確度算出手段と、
を具備することを特徴とする生体情報解析システム。
【請求項２】
前記解析手段は、前記生体情報が検出された時刻情報を、前記特徴情報と対応付けて前記記憶手段に記憶させることを特徴とする請求項１に記載の生体情報解析システム。
【請求項３】
前記生体情報は、前記利用者の脈波情報であることを特徴とする請求項１または２に記載の生体情報解析システム。
【請求項４】
前記所定の特徴は、前記利用者の前記脈波情報の波形に関する特徴であることを特徴とする請求項３に記載の生体情報解析システム。
【請求項５】
前記脈波情報の波形に関する特徴は、不整脈に関する特徴を示す波形であることを特徴とする請求項４に記載の生体情報解析システム。
【請求項６】
前記脈波情報の波形に関する特徴は、前記脈波情報のＲＲ間隔に関する特徴であることを特徴とする請求項４または５のいずれかに記載の生体情報解析システム。
【請求項７】
前記診断名情報は、不整脈、頻脈、除脈のいずれかを含むことを特徴とする請求項１〜６のいずれか一項に記載の生体情報解析システム。
【請求項８】
生体情報測定装置から生体情報を取得し、前記生体情報に所定の特徴が含まれているか解析し、前記所定の特徴が含まれていた場合に、前記生体情報に含まれている前記所定の特徴を示す特徴情報を前記生体情報と対応づけて記憶手段に記憶させる解析手段と、
前記生体情報を端末装置に送信し、前記端末装置から前記生体情報に対応する診断名情報を受信し、前記診断名情報を前記生体情報と対応付けて前記記憶手段に記憶させる診断支援手段と、
前記所定の特徴を持った前記生体情報及び前記特徴情報と、前記所定の特徴を持った前記生体情報とは異なる、過去に取得された前記生体情報である履歴生体情報、及び前記履歴生体情報に対応する履歴特徴情報とに基づき、前記診断名情報の確度を示す確度情報を導出する診断確度算出手段と、
を具備することを特徴とする生体情報解析装置。
【請求項９】
前記解析手段は、前記生体情報が検出された時刻情報を、前記特徴情報と対応付けて前記記憶手段に記憶させることを特徴とする請求項８に記載の生体情報解析装置。
【請求項１０】
コンピュータに、
生体情報測定装置で測定された生体情報を取得させる生体情報取得手段と、
前記生体情報に所定の特徴が含まれているかを解析し、前記生体情報に前記所定の特徴が含まれていた場合に、前記生体情報に含まれている前記所定の特徴を示す特徴情報を前記生体情報と対応づけて前記記憶手段に記憶させる解析手段と、
前記記憶手段に記憶された生体情報について、当該生体情報を前記端末装置に送信し、前記端末装置から診断名情報を受信し、受信した診断名情報を前記生体情報と対応付けて前記記憶手段に記憶させる診断支援手段と、
前記所定の特徴を持った前記生体情報及び前記特徴情報と、前記所定の特徴を持った前記生体情報とは異なる、過去に取得された前記生体情報である履歴生体情報、及び前記履歴生体情報に対応する履歴特徴情報とに基づき、前記診断名情報の確度を示す確度情報を導出する診断確度算出手段と、
を実現させるプログラム。
【発明の詳細な説明】
【技術分野】
【０００１】
本発明は、生体情報解析システム、生体情報解析装置、携帯機器およびプログラムに関する。
【背景技術】
【０００２】
患者の身体に装着した装置により測定される生体情報をネットワークを介して医師に送信し、医師の診断に供する遠隔診断システムが各種提案されている。この種のシステムは、システムの利用者である患者の指や手首などの測定部位に装着される脈波測定装置と、医療機関内の医師により利用される端末装置とから構成される。この種のシステムでは、脈波測定装置が測定部位から検出した生体情報を移動体パケット通信網などの通信網を介して医師の端末装置に送信する。医師は、端末装置のディスプレイに表示される生体情報から利用者に各種疾患の症状が現れているかを診断し、医師による診断結果である診断名を示すメッセージを通信網を介し脈波測定装置に送信する。利用者は、医師から送られてくる診断名を参照することにより、自身の健康状態が医療機関での検査を要するようなものであるか否かを判断することができる。この種のシステムに関する技術は、例えば、特許文献１に開示されている。
【先行技術文献】
【特許文献】
【０００３】
【特許文献１】特開２０００−６０８０７号公報
【発明の概要】
【発明が解決しようとする課題】
【０００４】
しかしながら、従来のこの種のシステムでは、利用者の生体情報を用いた診断の診断結果は、その診断を行った１人の医師の経験のみに依存したものとなる。このため、従来のこの種のシステムでは、診断を行う医師によって診断結果の内容にばらつきが生じ、信頼性の高い遠隔診断サービスの提供が難しいという問題があった。
【０００５】
本発明は、このような課題に鑑みてなされたものであり、医師による遠隔診断を受ける者の生体情報を医師の端末装置に送信して診断に供するシステムにおいて、システムの利用者に対して普遍性が担保された診断結果を提供することを目的とする。
【課題を解決するための手段】
【０００６】
上述した課題を解決するため、本発明に係る解析システムは、生体情報測定装置と、端末装置と、サーバ装置とを有するものであって、前記生体情報測定装置は、利用者から生体情報を検出する検出手段と、前記検出手段により生体情報を検出して前記サーバ装置に送信する制御を行う制御手段とを具備し、前記端末装置は、表示手段と、前記サーバ装置から前記生体情報を受信し、受信した生体情報を示す画面を前記表示手段に表示させるとともに、診断名の入力を受付け、入力された診断名を示す診断名情報を前記サーバ装置へ送信する制御手段とを具備し、前記サーバ装置は、記憶手段と、前記生体情報測定装置から生体情報を受信し、受信した生体情報を前記記憶手段に記憶させる生体情報取得手段と、前記生体情報取得手段によって生体情報が受信される都度、受信された生体情報に所定の特徴をもった情報が含まれているか解析し、前記生体情報測定装置から受信された生体情報に前記所定の特徴を持った情報が含まれていた場合に、当該生体情報に含まれている特徴の種類を示す特徴情報を当該生体情報と対応づけて前記記憶手段に記憶させる解析手段と、前記記憶手段に記憶された生体情報の各々について、当該生体情報を前記端末装置に送信し、前記端末装置から診断名情報を受信し、受信した診断名情報を当該生体情報と対応付けて前記記憶手段に記憶させる診断支援手段と、前記記憶手段に記憶された任意の１つの生体情報を対象生体情報とし、前記記憶手段に記憶された当該対象生体情報以外の他の生体情報と当該他の生体情報に対応付けられた特徴情報および診断名情報に基づき、前記対象生体情報に対応付けられた診断名情報の確度を求め、この確度を示す確度情報を当該対象生体情報と対応付けて前記記憶手段に記憶させる診断確度算出手段と、生体情報の送信元から診断結果を求めるメッセージを受信した場合に、その生体情報と対応付けて前記記憶手段に記憶されている診断名情報および確度情報を読み出し、読み出した診断名情報および確度情報を前記送信元に宛てて送信する診断結果通知手段とを具備する。
【０００７】
この発明によると、医師による診断結果である診断名を示す診断名情報と、その診断名の確度を示す確度情報とが生体情報測定装置に宛てて送信される。自身の身体から検出された生体情報をサーバ装置に送って診断を受ける利用者は、サーバ装置から診断名情報とともに送信されてくる確度情報が示す確度を参照することにより、自身と同じような生体情報が検出された人のうちのどの程度の人が同じ診断名の診断を下されていたのかを知ることができる。よって、本発明によると、利用者に対して普遍性が担保された診断結果を提供できることができる。
【０００８】
上述した解析システムにおいて、前記診断支援手段は、前記生体情報とともに前記特徴情報を前記端末装置に送信し、前記端末装置の制御手段は、前記生体情報とともに前記特徴情報を受信し、受信した生体情報および特徴情報を示す画面を前記表示手段に表示させるようにしてもよい。これによると、医師は、画面内における特徴情報を活用することにより、診断を効率的に行うことができる。
【０００９】
また、上述した解析システムにおいて、前記診断確度算出手段は、前記記憶手段において、前記対象生体情報と同じ種類の特徴情報と対応付けられている他の生体情報のうち、当該生体情報と同じ診断名情報と対応付けられている生体情報である診断名合致生体情報の個数と、当該生体情報と異なる診断名情報と対応付けられている生体情報である診断名非合致生体情報の個数とを集計し、集計した２種類の個数の関係から、当該生体情報についての診断名情報の確度を求めるようにしてもよい。これによると、信頼性の高い確度情報を求めることができる。
【００１０】
また、上述した解析システムにおいて、前記生体情報は、利用者の脈波を示すものとし、前記診断支援手段は、前記生体情報が示す脈波内における前記所定の特徴が現れている部分を示す情報を前記特徴情報として前記端末装置に送信するようにしてもよい。これによると、端末装置の表示手段には、脈波内における所定の特徴が現れている部分を示す情報が表示される。よって、医師は、脈波における該当部分に注意を払うことにより、脈波の全波形のうち注意深く観察する必要がある部分を容易に探し出すことができる。従って、これによると、医師による診断の負担を軽減することができる。
【００１１】
次に、本発明に係る生体情報解析装置は、記憶手段と、生体情報測定装置から生体情報を受信し、受信した生体情報を前記記憶手段に記憶させる生体情報取得手段と、前記生体情報取得手段によって生体情報が受信される都度、受信された生体情報に所定の特徴をもった情報が含まれているか解析し、前記生体情報測定装置から受信された生体情報に前記所定の特徴を持った情報が含まれていた場合に、当該生体情報に含まれている特徴の種類を示す特徴情報を当該生体情報と対応づけて前記記憶手段に記憶させる解析手段と、前記記憶手段に記憶された生体情報の各々について、当該生体情報を前記端末装置に送信し、前記端末装置から診断名情報を受信し、受信した診断名情報を当該生体情報と対応付けて前記記憶手段に記憶させる診断支援手段と、前記記憶手段に記憶された任意の１つの生体情報を対象生体情報とし、前記記憶手段に記憶された当該対象生体情報以外の他の生体情報と当該他の生体情報に対応付けられた特徴情報および診断名情報に基づき、前記対象生体情報に対応付けられた診断名情報の確度を求め、この確度を示す確度情報を当該対象生体情報と対応付けて前記記憶手段に記憶させる診断確度算出手段と、生体情報の送信元から診断結果を求めるメッセージを受信した場合に、その生体情報と対応付けて前記記憶手段に記憶されている診断名情報および確度情報を読み出し、読み出した診断名情報および確度情報を前記送信元に宛てて送信する診断結果通知手段とを具備する。
【００１２】
この発明によると、生体情報解析装置は、医師による診断結果である診断名を示す診断名情報と、その診断名の確度を示す確度情報とを生体情報の発信元に宛てて送信する。自身の身体から検出された生体情報を生体情報解析装置に送って診断を受ける利用者は、生体情報解析装置から診断名情報とともに送信されてくる確度情報が示す確度を参照することにより、自身と同じような生体情報が検出された人のうちのどの程度の人が同じ診断名の診断を下されていたのかを知ることができる。よって、本発明によると、利用者に対して普遍性が担保された診断結果を提供できることができる。
【００１３】
上述した生体情報解析装置において、前記診断支援手段は、前記生体情報とともに前記特徴情報を前記端末装置に送信し、前記端末装置の制御手段は、前記生体情報とともに前記特徴情報を受信し、受信した生体情報および特徴情報を示す画面を前記表示手段に表示させるようにしてもよい。これによると、端末装置の画面を参照する医師は、画面内における特徴情報を活用することにより、診断を効率的に行うことができる。
【００１４】
また、上述した生体情報解析装置において、前記診断確度算出手段は、前記記憶手段において、前記対象生体情報と同じ種類の特徴情報と対応付けられている他の生体情報のうち、当該生体情報と同じ診断名情報と対応付けられている生体情報である診断名合致生体情報の個数と、当該生体情報と異なる診断名情報と対応付けられている生体情報である診断名非合致生体情報の個数とを集計し、集計した２種類の個数の関係から、当該生体情報についての診断名情報の確度を求めるようにしてもよい。これによると、信頼性の高い確度情報を求めることができる。
【００１５】
ここで、生体情報解析装置において、前記生体情報は、利用者の脈波を示すものであり、前記診断支援手段は、前記生体情報が示す脈波内における前記所定の特徴が現れている部分を示す情報を前記特徴情報として前記端末装置に送信するようにしてもよい。脈波は血液の循環の状態を示す情報であるので、脈波を解析することによって、各種の疾患を知ることができる。これによると、端末装置の表示手段には、脈波内における所定の特徴が現れている部分を示す情報が表示される。よって、医師は、脈波における該当部分に注意を払うことにより、脈波の全波形のうち注意深く観察する必要がある部分を容易に探し出すことができる。従って、これによると、医師による診断の負担を軽減することができる。
【００１６】
次に、本発明はプログラムとして把握することができる。そのようなプログラムは、コンピュータに、生体情報測定装置から生体情報を受信し、受信した生体情報を前記記憶手段に記憶させる生体情報取得手段と、前記生体情報取得手段によって生体情報が受信される都度、受信された生体情報に所定の特徴をもった情報が含まれているか解析し、前記生体情報測定装置から受信された生体情報に前記所定の特徴を持った情報が含まれていた場合に、当該生体情報に含まれている特徴の種類を示す特徴情報を当該生体情報と対応づけて前記記憶手段に記憶させる解析手段と、前記記憶手段に記憶された生体情報の各々について、当該生体情報を前記端末装置に送信し、前記端末装置から診断名情報を受信し、受信した診断名情報を当該生体情報と対応付けて前記記憶手段に記憶させる診断支援手段と、前記記憶手段に記憶された任意の１つの生体情報を対象生体情報とし、前記記憶手段に記憶された当該対象生体情報以外の他の生体情報と当該他の生体情報に対応付けられた特徴情報および診断名情報に基づき、前記対象生体情報に対応付けられた診断名情報の確度を求め、この確度を示す確度情報を当該対象生体情報と対応付けて前記記憶手段に記憶させる診断確度算出手段と、生体情報の送信元から診断結果を求めるメッセージを受信した場合に、その生体情報と対応付けて前記記憶手段に記憶されている診断名情報および確度情報を読み出し、読み出した診断名情報および確度情報を前記送信元に宛てて送信する診断結果通知手段とを実現させるものである。
【図面の簡単な説明】
【００１７】
【図１】本発明の一実施形態である解析システムの全体構成を示す図である。
【図２】同システムの生体情報測定装置の外観を示す図である。
【図３】同システムの生体情報測定装置の構成を示すブロック図である。
【図４】同システムの携帯電話機の外観及び構成を示す図である。
【図５】同システムの端末装置の構成を示すブロック図である。
【図６】同システムのサーバ装置の構成を示すブロック図である。
【図７】同システムのサーバ装置に記憶されている生体情報データベースのデータ構造図である。
【図８】同システムのサーバ装置に記憶されている解析結果データベースのデータ構造図である。
【図９】同システムのサーバ装置に記憶されている診断結果データベースのデータ構造図である。
【図１０】同システムにおいて行われる脈波記録処理を示すフローチャートである。
【図１１】生体情報データファイルＷＤＦのデータフォーマットを示す図である。
【図１２】同システムにおいて行われるデータ伝送処理を示すフローチャートである。
【図１３】同システムにおいて行われるアップロード処理を示すフローチャートである。
【図１４】生体情報データファイルＷＤＦ'のデータフォーマットを示す図である。
【図１５】同システムにおいて行われる解析処理を示すフローチャートである。
【図１６】同システムにおいて行われる診断支援処理を示すフローチャートである。
【図１７】診断結果受付け画面を示す図である。
【図１８】同システムにおいて行われる診断確度算出処理を示すフローチャートである。
【図１９】同システムにおける診断結果通知処理を示すフローチャートである。
【発明を実施するための形態】
【００１８】
（Ａ：構成）
図１は、本発明の一実施形態である解析システムの構成を示すブロック図である。このシステムは、利用者Ｙ−ｋ（ｋ＝１，２…）の身体に装着される生体情報測定装置１−ｋ（ｋ＝１，２…）と、利用者Ｙ−ｋ（ｋ＝１，２…）に携帯される携帯電話機４−ｋ（ｋ＝１，２…）と、医療機関における医師Ｄ−ｍ（ｍ＝１，２…）の利用に供される端末装置６−ｍ（ｍ＝１，２…）と、システムを運営する事業者らの管理の下に稼働するサーバ装置７とを有する。ここで、各利用者Ｙ−ｋは、運営事業者から固有のＩＤY−ｋの発行を受けている。医師Ｄ−ｍは、運営事業者から固有のＩＤD−ｍの発行を受けている。また、図１では、簡便のため、生体情報測定装置１−ｋ（ｋ＝１，２…）、携帯電話機４−ｋ（ｋ＝１，２…）、及び端末装置６−ｍ（ｍ＝１，２…）の図示数を各々１つずつとしている。
【００１９】
図２は、生体情報測定装置１−ｋの外観を示す図である。図３は、生体情報測定装置１−ｋの構成を示すブロック図である。図２に示すように、生体情報測定装置１−ｋは、脈波センサー３０と、装置本体１０と、これらを接続するケーブル２０とを有する。脈波センサー３０は、利用者Ｙ−ｋの左手人差指を測定部位とし、この部位の血管への血液の流入によって生じる血管の容積変化を生体情報として検出する検出手段としての役割を果たす。脈波センサー３０は、左手人差指の幅よりも小さな寸法を持った扁平な板状をなしている。脈波センサー３０は、発光素子３２ａと受光素子３２ｂを併有している。発光素子３２ａは、血液に吸収され易い波長の発光色（例えば、青色とする）を持ったＬＥＤ（Light Emitting Diode）である。受光素子３２ｂは、フォドダイオードである。脈波センサー３０には、センサ固定用バンド３４が取り付けられている。
【００２０】
脈波センサー３０は、測定部位に発光素子３２ａ及び受光素子３２ｂを向けるようにして測定部位の周りにセンサ固定用バンド３４を巻きつけることにより、利用者Ｙ−ｋの身体に装着される。この装着状態において、脈波センサー３０の発光素子３２ａは、装置本体１０からケーブル２０を介して当該発光素子３２ａに供給される電流に応じた強度の光を測定部位に向けて照射する。発光素子３２ａから照射された光は、測定部位の表皮を透過してその奥の真皮の毛細血管に到達する。血管に到達した光の一部は血管内を流れる血液により吸収される。また、血管に到達した光のうち血管内の血液により吸収されなかった光は、一部は測定部位を透過し、残りは生体組織における散乱等を経た後に反射光として受光素子３２ｂに到達する。受光素子３２ｂには、この反射光の受光強度に応じた大きさの電流が流れる。ここで、測定部位における血管は、心拍と同じ周期で膨張と収縮を繰り返している。そして、血管の膨張と収縮の周期と同じ周期で光の吸収量が増減し、これに合わせて反射光の強度も変化する。このため、受光素子３２ｂに流れる電流は、測定部位における血管の容積変化を示す成分をもったものとなる。
【００２１】
装置本体１０は、腕時計を模した形状を有している。装置本体１０の表面には、長方形状の表示面を持った表示部１４が設けられている。表示部１４には、当該生体情報測定装置１−ｋによる計測結果である脈間隔、脈拍数、その他の各種情報が表示される。装置本体１０の筐体の外周部にはボタンスイッチ１６が設けられている。ボタンスイッチ１６は、脈波の計測開始や計測終了、計測結果のリセットなどの各種指示の入力に用いられる。装置本体１０の外周部における表示部１４を挟んで対向する部分には、リストバンド１２の一端と他端が取り付けられている。装置本体１０は、リストバンド１２を利用者Ｙ−ｋの手首に巻きつけることにより、利用者Ｙ−ｋの身体に装着される。
【００２２】
図３に示すように、生体情報測定装置１−ｋの装置本体１０には、通信インターフェース１５０、アナログ回路部１１０、Ａ／Ｄ変換回路１２０、および制御回路部１３０が内蔵されている。通信インターフェース１５０は、Bluetooth（登録商標）に準拠した無線通信を行う装置である。装置本体１０は、この通信インターフェース１５０により携帯電話機４−ｋと接続される。アナログ回路部１１０は、駆動回路１１２０、ＩＶ変換回路１１１２、及びアンプ１１１６を有する。駆動回路１１２０は、脈波センサー３０の発光素子３２ａを駆動させる回路である。この駆動回路１１２０は、制御回路部１３０による制御の下、脈波センサー３０の発光素子３２ａに電流を供給する。これにより、発光素子３２ａから測定部位に向けて光が照射され、その反射光の受光強度に応じて受光素子３２ｂを流れる電流が変化する。受光素子３２ｂを流れる電流が測定部位における血管の容積変化を示す成分をもったものとなることは、上述した通りである。ＩＶ変換回路１１１２は、受光素子３２ｂに流れる電流に応じた電圧をアンプ１１１６へ出力する。アンプ１１１６は、ＩＶ変換回路１１１２の出力電圧を増幅し、増幅した信号を制御回路部１３０に出力する。
【００２３】
Ａ／Ｄ変換回路１２０は、アンプ１１１６の出力信号をデジタル形式に変換し、変換した信号を制御回路部１３０に出力する。制御回路部１３０は、生体情報測定装置１−ｋの制御中枢としての役割を果たす装置である。制御回路部１３０は、ＣＰＵ（Central Processing Unit）１３１５、ＲＡＭ（Random Access Memory）１３１６、ＲＯＭ（Read Only Memory）１３１７、及びＥＥＰＲＯＭ（Electrically Erasable Programable Read-Only Memory）１３１８を含んでいる。
【００２４】
ＣＰＵ１３１５は、ＲＡＭ１３１６をワークエリアとして利用しつつ、ＲＯＭ１３１７に記憶された脈波計測プログラムを実行する。この脈波計測プログラムは、次の２つの機能を有する。
ａ１．検出機能
これは、Ａ／Ｄ変換回路１２０の出力信号を利用者Ｙ−ｋの脈波を示す生体情報データＷＤとして検出する機能である。
ｂ１．通信制御機能
これは、生体情報データＷＤを携帯電話機４−ｋを介してサーバ装置７に送信する機能である。
【００２５】
図４は、携帯電話機４−ｋの外観及び構成を示すブロック図である。この携帯電話機４−ｋは、筐体４１０及び筐体４２０とこれらを連結するヒンジ部材４３０とを有する。筐体４１０の表面にはスピーカ４２１３とディスプレイ４１１３が設けられている。筐体４２０の表面には操作キー４２１２とマイクロホン４１１２が設けられている。
【００２６】
筐体４２０には、通信インターフェース４２１４と、制御部４４０と、当該携帯電話機４−ｋにおける電力の供給源であるバッテリ４５０とが内蔵されている。通信インターフェース４２１４は、Bluetoothに準拠した無線通信を行う装置である。携帯電話機４−ｋは、この通信インターフェース４２１４により生体情報測定装置１−ｋと接続される。制御部４４０は、無線通信部４５１１、音声処理部４５１２、表示処理部４５１３、ＣＰＵ４５１４、ＲＡＭ４５１５、ＲＯＭ４５１６、及びＥＥＰＲＯＭ４５１７を有する。無線通信部４５１１は、ＣＰＵ４５１４による制御の下、移動体パケット通信網８における基地局とコネクションを確立し、移動体パケット通信網８やインターネット９に接続されている他の装置との間でデータを送受信する。音声処理部４５１２は、ＣＰＵ４５１４による制御の下、スピーカ４２１３及びマイクロホン４１１２とＣＰＵ４５１４との間の音信号の送受信を仲介する。表示処理部４５１３は、ＣＰＵ４５１４による制御の下、ディスプレイ４１１３に画像を表示させる。ＥＥＰＲＯＭ４５１７には、利用者Ｙ−ｋのＩＤY−ｋが記憶されている。ＣＰＵ４５１４は、ＲＡＭ４５１４をワークエリアとして利用しつつ、ＲＯＭ４５１６に記憶された制御プログラムを実行する。この制御プログラムは、次の２つの機能を有する。
【００２７】
ａ２．アップロード機能
これは、生体情報データＷＤのアップロードを指示する操作が行われた場合に、生体情報測定装置１−ｋにコマンドＣＭを送って以後に同装置１−ｋから伝送されてくる生体情報データＷＤをＥＥＰＲＯＭ４５１７に記憶し、この生体情報データＷＤをサーバ装置７に送信する機能である。
【００２８】
ｂ２．診断結果閲覧機能
これは、医師Ｄ−ｍによる診断の結果の閲覧を指示する操作が行われた場合に、診断結果を求めるメッセージＭＳDGNをサーバ装置７に送信し、診断結果である診断名を示す診断名情報データＧＤとその確度を示す確度情報データＡＤとが埋め込まれた画面の表示制御データＤＤDGNを受信し、この表示制御データＤＤDGNが示す画面をディスプレイ６４０に表示させる機能である。
【００２９】
図５は、端末装置６−ｍの構成を示すブロック図である。端末装置６−ｍは、制御部６１０、ハードディスク６２０、ＮＩＣ６３０、ディスプレイ６４０、キーボード６５０、及びマウス６６０を有する。制御部６１０は、ＣＰＵ６１１、ＲＡＭ６１２、及びＲＯＭ６１３を有する。ＣＰＵ６１１は、ＲＡＭ６１２をワークエリアとして利用しつつ、ＲＯＭ６１３やハードディスク６２０に記憶された各種プログラムを実行する。ハードディスク６２０には、制御プログラムが記憶されている。この制御プログラムは、次の２つの機能を有する。
【００３０】
ａ３．脈波閲覧機能
これは、利用者Ｙ−ｋの脈波を指定する操作が行われた場合に、その利用者Ｙ−ｋの脈波を求めるメッセージＭＳREQ2をサーバ装置７に送信し、その利用者Ｙ−ｋの生体情報データＷＤが示す脈波における異常部分ＢＣにマークＭＫが重ねられた脈波画像ＷＩを含む画面の表示制御データＤＤREQ2を受信し、この表示制御データＤＤREQ2が示す画面をディスプレイ６４０に表示させる機能である。
【００３１】
ｂ３．診断結果送信機能
これは、医師Ｄ−ｍにより決定された診断名を入力する操作を受け付け、入力された診断名を示す診断名情報データＧＤをサーバ装置７に送信する機能である。
【００３２】
図６は、サーバ装置７の構成を示すブロック図である。サーバ装置７は、制御部７１０、ハードディスク７２０、及びＮＩＣ７３０を有する。制御部７１０は、ＣＰＵ７１１、ＲＡＭ７１２、及びＲＯＭ７１３を有する。ＣＰＵ７１１は、ＲＡＭ７１２をワークエリアとして利用しつつ、ＲＯＭ７１３やハードディスク７２０に記憶された各種プログラムを実行する。ハードディスク７２０には、次の３種類のデータベースが記憶されている。
【００３３】
ａ４．生体情報データベースＷＤＢ
図７は、生体情報データベースＷＤＢのデータ構造を示す図である。生体情報データベースＷＤＢは、利用者Ｙ−ｋの携帯電話機４−ｋからサーバ装置７にアップロードされた生体情報データＷＤと対応するレコードの集合体である。図７に示すように、生体情報データベースＷＤＢにおける各レコードは、「利用者ＩＤ」、「時刻」、「脈波ＩＤ」の３つのフィールドを有する。「利用者ＩＤ」のフィールドは、サーバ装置７への生体情報データＷＤのアップロードを行った利用者Ｙ−ｋのＩＤY−ｋを示す。また、「時刻」のフィールドは、生体情報データＷＤの記録開始時刻ｔｓｓの時刻データＤｔｓｓを示し、「脈波ＩＤ」のフィールドは、その生体情報データＷＤに固有のＩＤW（より具体的には、ハードディスク７２０内における当該生体情報データＷＤの格納アドレスと生体情報データＷＤのファイル名を結合した文字列）を示す。
【００３４】
ｂ４．解析結果データベースＲＤＢ−ｋ
図８は、解析結果データベースＲＤＢ−ｋのデータ構造を示す図である。ここで、ハードディスク７２０には、利用者Ｙ−ｋ（ｋ＝１，２…）毎の個別の解析結果データベースＲＤＢ−ｋ（ｋ＝１，２…）が記憶されている。１人の利用者Ｙ−ｋの解析結果データベースＲＤＢ−ｋは、その利用者Ｙ−ｋの携帯電話機４−ｋからサーバ装置７にアップロードされた生体情報データＷＤであって、不整脈を患う者の脈波に現れる特徴を示す波形パターンＰ−ｎ（ｎ＝１，２…Ｎ：ｎは波形パターンの種類を示すインデックスである）を含んでいるものと対応するレコードの集合体である。ここで、波形パターンＰ−ｎ（ｎ＝１，２…Ｎ）には、短ＲＲ間隔（脈波に本来の周期通りに現れるピークとその周期より早く現れるピークが混在する不整脈）の特徴を示すものや、頻脈（脈波の１分あたりのピーク数が１００回を超える不整脈）の特徴を示すもの、徐脈（脈波の１分あたりのピーク数が３０回〜４０回である不整脈）の特徴を示すものなどがある。本実施形態では、利用者Ｙ−ｋの携帯電話機４−ｋからサーバ装置７に生体情報データＷＤがアップロードされる都度、その生体情報データＷＤが示す脈波が波形パターンＰ−ｎのいずれかと一致する波形部分を含んでいるか解析し、生体情報データＷＤが波形パターンＰ−ｎと一致する波形部分を含んでいる場合に、その波形部分を脈波の異常部分ＢＣとし、解析結果に関わる情報を管理するためのレコードをこのデータベースＲＤＢ−ｋ内に形成する。生体情報データＷＤの解析に関わる処理の詳細については、後述する。
【００３５】
図８に示すように、解析結果データベースＲＤＢ−ｋにおける各レコードは、「利用者ＩＤ」、「時刻」、「波形タイプ」の３つのフィールドを有する。「利用者ＩＤ」のフィールドは、利用者のＩＤY−ｋを示す。「時刻」のフィールドは、生体情報データＷＤが示す脈波内における異常部分ＢＣの出現時刻ｔｂｃの時刻データＤｔｂｃを示す。また、「波形タイプ」は、生体情報データＷＤが示す脈波に現れた波形パターンＰ−ｎに固有の特徴情報ＩＤP−ｎを示す。
【００３６】
ｃ４．診断結果データベースＳＤＢ
図９は、診断結果データベースＳＤＢのデータ構造を示す図である。診断結果データベースＳＤＢは、利用者Ｙ−ｋの携帯電話機４−ｋからサーバ装置７にアップロードされた生体情報データＷＤと対応するレコードの集合体である。
【００３７】
図９に示すように、診断結果データベースＳＤＢにおける各レコードは、「利用者ＩＤ」、「時刻」、「診断名」、「医師コメント」、「医師ＩＤ」、「確度」の６つのフィールドを有する。「利用者ＩＤ」のフィールドは、利用者Ｙ−ｋのＩＤY−ｋを示す。「時刻」のフィールドは、医師Ｄ−ｍが生体情報データＷＤについて診断の根拠とした異常部分ＢＣの発生時刻である時刻データＤｔｄｃを示す。「診断名」のフィールドは、生体情報データＷＤが示す脈波についての診断名の診断名情報データＧＤを示す。「コメント」のフィールドは、診断を行った医師Ｄ−ｍから利用者Ｙ−ｋに向けられたコメントのコメントデータＣＤを示す。「医師ＩＤ」は、診断を行った医師Ｄ−ｍのＩＤD−ｍを示す。「確度」のフィールドは、医師Ｄ−ｍによる診断の結果の確度を示す確度情報データＡＤを示す。
【００３８】
また、ハードディスク７２０には、制御プログラムが記憶されている。この制御プログラムは、次の５つの機能を有する。
ａ５．生体情報取得機能
これは、利用者Ｙ−ｋの生体情報測定装置１−ｋから生体情報データＷＤを受信し、受信した生体情報データＷＤをハードディスク７２０に記憶させる機能である。
【００３９】
ｂ５．解析機能
これは、生体情報データＷＤが受信される都度、受信した生体情報データＷＤが示す脈波に不整脈とみなし得る波形の特徴である波形パターンＰ−ｎ（ｎ＝１，２…Ｎ）が含まれているか解析し、受信された生体情報データＷＤに波形パターンＰ−ｎと一致する波形部分が含まれている場合に、当該生体情報データＷＤに含まれている波形パターンＰ−ｎの種類を示す特徴情報ＩＤP−ｎを当該生体情報データＷＤと対応付けてハードディスク７２０に記憶する機能である。
【００４０】
ｃ５．診断支援機能
これは、ハードディスク７２０に記憶された生体情報データＷＤの各々について、当該生体情報データＷＤを含む画面の表示制御データＤＤREQ2を生成し、この表示制御データＤＤREQ2を端末装置６−ｍに送信し、端末装置６−ｍから当該生体情報データＷＤが示す脈波についての診断名を示す診断名情報データＧＤを受信し、受信した診断名情報データＧＤを当該生体情報データＷＤと対応付けてハードディスク７２０に記憶する機能である。
【００４１】
ｄ５．診断確度算出機能
これは、ハードディスク７２０に記憶された任意の生体情報データＷＤを対象生体情報データＷＤTRGTとし、ハードディスク７２０に記憶された対象生体情報データＷＤTRGT以外の他の生体情報データＷＤと当該他の生体情報データＷＤに対応付けられた特徴情報ＩＤP−ｎ及び診断名情報データＧＤに基づき、対象生体情報データＷＤTRGTに対応付けられた診断名情報データＧＤの確度を求め、この確度を示す確度情報データＡＤを当該対象生体情報データＷＤTRGTと対応付けてハードディスク７２０に記憶させる機能である。
【００４２】
ｅ５．診断結果通知機能
これは、生体情報データＷＤの送信元の携帯電話機４−ｋからメッセージＭＳDGNを受信した場合に、その生体情報データＷＤと対応付けてハードディスク７２０に記憶されている診断名情報データＧＤおよび確度情報データＡＤを読み出し、読み出した診断名情報データＧＤ及び確度情報データＡＤを埋め込んだ画面の表示制御データＤＤDGNを送信元の携帯電話機４−ｋに宛てて送信する機能である。
【００４３】
（Ｂ：動作）
次に、本実施形態の動作を説明する。本実施形態では、脈波記録処理、データ伝送処理、アップロード処理、解析処理、診断支援処理、診断確度算出処理、及び診断結果通知処理が行われる。以下、各処理について詳細に説明する。
【００４４】
図１０は、脈波記録処理を示すフローチャートである。この処理は、生体情報測定装置１−ｋにより実行される処理である。生体情報測定装置１−ｋは、測定モードと通信モードの２つのモードを有している。この処理は、生体情報測定装置１−ｋを測定モードにした状態において、生体情報測定装置１−ｋのボタンスイッチ１６によって脈波の記録を指示する操作が行われると開始される。
【００４５】
脈波記録処理において、ＣＰＵ１３１５は、脈波の記録を指示する操作が行われると、この操作が行われてから時間Ｔ１（例えば、Ｔ１＝１０分間とする）が経過する度にその経過時点の時刻を記録開始時刻ｔｓｓとしてＲＡＭ１３１６に記憶するとともに（Ｓ１００１）、各記録開始時刻ｔｓｓから時間Ｔ２（例えば、Ｔ２＝１分間とする）が経過するまでの間のＡ／Ｄ変換回路１２０の出力信号を生体情報データＷＤとしてＲＡＭ１３１６に記憶する（Ｓ１００２）。従って、時間Ｔ１が経過するとＴ１／Ｔ２個の生体情報データＷＤがＲＡＭ１３１６に一時的に記憶される。ＣＰＵ１３１５は、Ｔ１／Ｔ２個の生体情報データＷＤが生成される度に、生体情報データＷＤと記録開始時刻ｔｓｓを示す時刻データＤｔｓｓとを含む生体情報データファイルＷＤＦを生成し、この生体情報データファイルＷＤＦをＥＥＰＲＯＭ１３１８に記憶する（Ｓ１００３）。図１１は、生体情報データファイルＷＤＦのデータフォーマットを示す図である。即ち、時間Ｔ１ごとに、Ｔ１／Ｔ２個の生体情報データＷＤをまとめ、これに記録開始時刻ｔｓｓを付加して１個の生体情報データファイルＷＤＦを生成している。このように、時間Ｔ１といった単位で記録開始時刻ｔｓｓを記録した生体情報データファイルＷＤＦを生成するが、サーバ装置７においては、記録開始時刻ｔｓｓからのサンプル数に基づいて生体情報データＷＤの波形のうち異常部分ＢＣの出現時刻ｔｄｃを特定する。例えば、記録開始時刻ｔｓｓが「１０：００」であり、その３２０００サンプル目のデータ付近に異常部分ＢＣがあり、サンプリング周期が１／３２秒（１秒間に３２個のサンプルがある）であったとする。この場合、特徴点は開始から１０００秒後（＝32000/32）であり、１０：１６’４０が異常部分ＢＣの出現時刻ｔｄｃあると特定できる。
【００４６】
図１２は、データ伝送処理を示すフローチャートである。この処理は、生体情報測定装置１−ｋと携帯電話機４−ｋにより実行される処理である。この処理は、生体情報測定装置１−ｋを通信モードにした状態において、携帯電話機４−ｋの操作キー４２１２によってデータ伝送を指示する操作が行われると開始される。
【００４７】
データ伝送処理において、携帯電話機４−ｋのＣＰＵ４５１４は、データ伝送を指示する操作が行われると、コマンドＣＭを生体情報測定装置１−ｋに伝送する（Ｓ１０１１）。生体情報測定装置１−ｋのＣＰＵ１３１５は、前回のコマンドＣＭの受領時から今回のコマンドＣＭの受領時までの間にＥＥＰＲＯＭ１３１８に記憶された生体情報データファイルＷＤＦをＥＥＰＲＯＭ１３１８から読み出し、無線区間を介して携帯電話機４−ｋに伝送する（Ｓ１０１２）。この伝送は、ＸＭＯＤＥＭなどのバイナリ転送プロトコルに従って行う。携帯電話機４−ｋのＣＰＵ４５１４は、生体情報測定装置１−ｋから伝送されてくる生体情報データファイルＷＤＦをＥＥＰＲＯＭ４５１７に記憶する（Ｓ１０１３）。
【００４８】
図１３は、アップロード処理を示すフローチャートである。この処理は、携帯電話機４−ｋとサーバ装置７とにより実行される処理である。この処理は、携帯電話機４−ｋのブラウザアプリケーションを起動させた状態において、サーバ装置７のアップロードサービスページへのアクセスを指示する操作が行われると開始される。
【００４９】
アップロード処理において、携帯電話機４−ｋのＣＰＵ４５１４は、アップロードサービスページへのアクセスを指示する操作が行われると、同ページの閲覧を求めるメッセージＭＳSVC1をサーバ装置７に宛てて送信する（Ｓ１０２１）。このメッセージＭＳSVC1は、移動体パケット通信網８及びインターネット９を介してサーバ装置７に送られる。サーバ装置７のＣＰＵ７１１は、メッセージＭＳSVC1を受信すると、アップロードサービスページの表示制御データＤＤSVC1を携帯電話機４−ｋに宛てて送信する（Ｓ１０２２）。表示制御データＤＤSVC1は、インターネット９及び移動体パケット通信網８を介して携帯電話機４−ｋに送られる。
【００５０】
携帯電話機４−ｋは、表示制御データＤＤSVC1が示す画面をディスプレイ４１１３に表示させる（Ｓ１０２３）。この画面には、ＩＤの入力を促す内容の文字列とＩＤ入力欄とが表示されている。利用者Ｙ−ｋは、携帯電話機４−ｋの操作キー４２１２を操作し、ＩＤ入力欄に自身のＩＤY−ｋを入力する。携帯電話機４−ｋのＣＰＵ４５１４は、操作キー４２１２によって入力されたＩＤY−ｋを含むメッセージＭＳUP1をサーバ装置７に送信する（Ｓ１０２４）。メッセージＭＳUP1は、移動体パケット通信網８及びインターネット９を介してサーバ装置７に送られる。サーバ装置７のＣＰＵ７１１は、このメッセージＭＳUP1からＩＤY−ｋを取り出し、このＩＤY−ｋを用いた所定の認証処理を行った後、アップロード用画面の表示制御データＤＤUP1を携帯電話機４−ｋに宛てて送信する（Ｓ１０２５）。表示制御データＤＤUP1は、インターネット９及び移動体パケット通信網８を介して携帯電話機４−ｋに送られる。
【００５１】
携帯電話機４−ｋは、サーバ装置７から表示制御データＤＤUP1を受信すると、その表示制御データＤＤUP1が示す画面をディスプレイ４１１３に表示させる（Ｓ１０２６）。この画面には、生体情報データＷＤのアップロードを促す内容の文字列が表示されている。利用者Ｙ−ｋは、携帯電話機４−ｋの操作キー４２１２を操作し、生体情報データＷＤのアップロードを指示する。携帯電話機４−ｋのＣＰＵ４５１４は、生体情報データＷＤのアップロードが指示されると、ＥＥＰＲＯＭ４５１７に記憶されている生体情報データファイルＷＤＦに利用者Ｙ−ｋのＩＤY−ｋを埋め込んだ生体情報データファイルＷＤＦ’を生成し、この生体情報データファイルＷＤＦ’をサーバ装置７に送信する（Ｓ１０２７）。図１４は、生体情報データファイルＷＤＦ’のデータ構造を示す図である。生体情報データファイルＷＤＦ’は、移動体パケット通信網８及びインターネット９を介してサーバ装置７に送られる。
【００５２】
サーバ装置７のＣＰＵ７１１は、生体情報データファイルＷＤＦ’を受信すると、その生体情報データファイルＷＤＦ’内における生体情報データＷＤをハードディスク７２０の空き領域に記憶する（Ｓ１０２８）。また、ＣＰＵ７１１は、生体情報データファイルＷＤＦ’内における利用者Ｙ−ｋのＩＤY−ｋ、記録開始時刻ｔｓｓ、及び生体情報データＷＤの固有のＩＤW（ハードディスク７２０内における当該生体情報データＷＤの格納アドレスと生体情報データＷＤのファイル名を結合した文字列）を含むレコードを生体情報データベースＷＤＢに登録する（Ｓ１０２９）。
【００５３】
図１５は、解析処理を示すフローチャートである。この処理は、サーバ装置７により実行される処理である。この処理は、生体情報データベースＷＤＢに新たなレコードが登録される都度、実行される。
【００５４】
解析処理において、サーバ装置７のＣＰＵ７１１は、利用者Ｙ−ｋの生体情報データベースＷＤＢに新たなレコードが登録されると、そのレコードを生体情報データベースＷＤＢから読み出してＲＡＭ７１２に記憶するとともに、そのレコードにおけるＩＤWと対応する生体情報データＷＤをハードディスク７２０における該当の記憶領域から読み出してＲＡＭ７１２に記憶する（Ｓ１０３１）。
【００５５】
ＣＰＵ７１１は、ＲＡＭ７１２内における生体情報データＷＤを解析し、当該生体情報データＷＤが示す脈波に波形パターンＰ−ｎと一致する波形部分が含まれているか判定する（Ｓ１０３２）。ＣＰＵ７１１は、生体情報データＷＤが示す脈波に波形パターンＰ−ｎと一致する波形部分がある場合には、当該生体情報データＷＤが示す脈波における波形パターンＰ−ｎと一致する波形部分を脈波の異常部分ＢＣとみなし、利用者Ｙ−ｋのＩＤY−ｋ、異常部分ＢＣの出現時刻ｔｂｃを示す時刻データＤｔｂｃ、及び該当する波形パターンＰ−ｎの特徴情報ＩＤP−ｎを含むレコードを利用者Ｙ−ｋの解析結果データベースＲＤＢ−ｋに追加する（Ｓ１０３３）。ここで、生体情報データＷＤにおける先頭のサンプルから異常部分ＢＣのサンプルまでのサンプル数とサンプリング周期の積を記録開始時刻ｔｓｓに加算することにより異常部分ＢＣの出現時刻ｔｂｃが求まることは、上述した通りである。
【００５６】
図１６は、診断支援処理を示すフローチャートである。診断支援処理は、端末装置６−ｍとサーバ装置７とにより実行される処理である。この処理は、端末装置６−ｍのブラウザアプリケーションを起動させた状態において、診断支援サービスページへのアクセスを指示する操作が行われると開始される。
【００５７】
診断支援処理において、端末装置６−ｍのＣＰＵ６１１は、診断支援サービスページへのアクセスを指示する操作が行われると、診断支援サービスページの閲覧を求めるメッセージＭＳSVC2をサーバ装置７に宛てて送信する（Ｓ１０６１）。このメッセージＭＳSVC2は、インターネット９を介してサーバ装置７に送られる。サーバ装置７のＣＰＵ７１１は、診断支援サービスページの表示制御データＤＤSVC2を端末装置６−ｍに宛てて送信する（Ｓ１０６２）。表示制御データＤＤSVC2は、インターネット９を介して端末装置６−ｍに送られる。
【００５８】
端末装置６−ｍのＣＰＵ６１１は、表示制御データＤＤSVC2を受信すると、この表示制御データＤＤSVC2が示す画面をディスプレイ６４０に表示させる（Ｓ１０６３）。この画面には、ＩＤの入力を促す内容の文字列とＩＤ入力欄とが表示されている。医師Ｄ−ｍは、マウス７６０及びキーボード７５０を操作し、ＩＤ入力欄に自身のＩＤD−ｍを入力する。端末装置６−ｍのＣＰＵ６１１は、操作キー４２１２によって入力されたＩＤD−ｍを含むメッセージＭＳREQ1をサーバ装置７に送信する（Ｓ１０６４）。メッセージＭＳREQ1は、インターネット９を介してサーバ装置７に送られる。サーバ装置７のＣＰＵ７１１は、このメッセージＭＳREQ1からＩＤD−ｍを取り出し、このＩＤD−ｍを用いた所定の認証処理を行った後、診断対象者問合せ画面の表示制御データＤＤREQ1を端末装置６−ｍに宛てて送信する（Ｓ１０６５）。この表示制御データＤＤREQ1はインターネット９を介して端末装置６−ｍに送られる。
【００５９】
端末装置６−ｍのＣＰＵ６１１は、表示制御データＤＤREQ1を受信すると、その表示制御データＤＤREQ1が示す画面である診断対象者問合せ画面をディスプレイ６４０に表示させる（Ｓ１０６６）。診断対象者問合せ画面には、診断の対象者となる利用者Ｙ−ｋのＩＤY−ｋ、診断の対象期間Ｔ３の始点となる時刻ｔｒｓと終点となる時刻ｔｒｅの入力を促す文字列と、各々を入力する３つの入力欄とが表示されている。医師Ｄ−ｍは、キーボード７５０及びマウス７６０を操作し、各入力欄にＩＤY−ｋと時刻ｔｒｓ及びｔｒｅを入力する。ＣＰＵ６１１は、このＩＤY−ｋと、時刻ｔｒｓを示す時刻データＤｔｒｓと、時刻ｔｒｅを示す時刻データＤｔｒｅとをＲＡＭ６１２に記憶する（Ｓ１０６７）。ＣＰＵ６１１は、このＩＤY−ｋ、時刻データＤｔｒｓ、時刻データＤｔｒｅを含むメッセージＭＳREQ2をサーバ装置７に宛てて送信する（Ｓ１０６８）。メッセージＭＳREQ2は、インターネット９を介してサーバ装置７に送られる。
【００６０】
サーバ装置７のＣＰＵ７１１は、メッセージＭＳREQ2を受信すると、そのメッセージＭＳREQ2から、ＩＤY−ｋ、時刻データＤｔｒｓ、時刻データＤｔｒｅを取り出してＲＡＭ７１２に記憶する（Ｓ１０６９）。ＣＰＵ７１１は、時刻ｔｒｓから時刻ｔｒｅまでの期間を診断の対象期間Ｔ３として決定する（Ｓ１０７０）。ＣＰＵ７１１は、生体情報データベースＷＤＢからＲＡＭ７１２内のＩＤY−ｋとこの期間Ｔ３内の記録開始時刻ｔｓｓとを含むレコードを抽出し（Ｓ１０７１）、抽出したレコードにおけるＩＤWと対応する記憶領域に記憶されている生体情報データＷＤをＲＡＭ７１２に読み出す（Ｓ１０７２）。ＣＰＵ７１１は、この生体情報データＷＤが示す脈波における異常部分ＢＣにマークＭＫを重ねた脈波画像ＷＩを含む画面を診断結果受付け画面とし、この診断結果付け付け画面の表示制御データＤＤREQ2を生成し、この表示制御データＤＤREQ2を端末装置６−ｍに宛てて送信する（Ｓ１０７３）。表示制御データＤＤREQ2は、インターネット９を介して端末装置６−ｍに送られる。
【００６１】
端末装置６−ｍのＣＰＵ６１１は、表示制御データＤＤREQ2が示す画面である診断結果受付け画面をディスプレイ６４０に表示させる（Ｓ１０７４）。図１７は、診断結果受付け画面を示す図である。この画面の上部には脈波画像ＷＩが表示されている。脈波画像ＷＩの下にはダイアログ領域ＤＲがある。このダイアログ領域ＤＲには、診断名選択用のプルダウンメニューＰＭと、コメント入力用のテキストボックスＢＸと、「送信」の文字を有するボタンＢＴとが配されている。
【００６２】
端末装置６−ｍのディスプレイ６４０に診断結果受付け画面が表示された状態において、医師Ｄ−ｍは、利用者Ｙ−ｋの症状を診断し、その診断結果である診断名をサーバ装置７内のデータベースに登録するための操作を行う。操作の具体的な手順は次の通りである。まず、医師Ｄ−ｍは、診断結果受付け画面の脈波画像ＷＩにおいてマークＭＫが付されている異常部分ＢＣの波形形状や相前後する異常部分ＢＣの時間間隔などを確認し、該当する診断名を決定する。ここで、医師Ｄ−ｍにより如何なる診断が下されるかは、各医師Ｄ−ｍの各々の経験や利用者Ｙ−ｋの過去の診断履歴などに依存する。
【００６３】
医師Ｄ−ｍは、脈波画像ＷＩにおける異常部分ＢＣを示すマークＭＫのうち所望のものにマウスポインタを移動させる第１の操作を行う。端末装置６−ｍのＣＰＵ６１１は、第１の操作が行われると、この操作により選択された異常部分ＢＣの出現時刻ｔｂｃ（図１７の例では、１２：００’２０）とステップＳ１０６２でＲＡＭに記憶したＩＤY−ｋ（図１７の例ではSuzuki）とを埋め込んだ「ｔｂｃ頃の脈波へのＩＤY−ｋ先生の診断」の文字列をプルダウンメニューＰＤの上部に表示させる。次に、医師Ｄ−ｍは、プルダウンメニューＰＤの左の展開ボタンＰＤＢＴにマウスポインタを移動させてクリックする第２の操作を行う。端末装置６−ｍのＣＰＵ６１１は、第２の操作が行われると、複数種類の診断名を下方向に列記したリストを表示させる。次に、医師Ｄ−ｍは、リストにおける診断名の中から自らが診断した診断名と一致するものを選択する第３の操作を行う。端末装置６−ｍのＣＰＵ６１１は、第３の操作が行われると、リスト内から選択された診断名の診断名情報データＧＤをＲＡＭ６１２に記憶させる。次に、医師Ｄ−ｍは、利用者Ｙ−ｋに向けたコメントである文字列をテキストボックスＢＸ内に入力する第４の操作を行う。端末装置６−ｍのＣＰＵ６１１は、第４の操作が行われると、テキストボックスＢＸ内における文字列を示すコメントデータＣＤをＲＡＭ６１２に記憶させる。次に、医師Ｄ−ｍは、ボタンＢＴにマウスポインタを移動させてクリックする第５の操作を行う。端末装置６−ｍのＣＰＵ６１１は、第５の操作が行われると、ＲＡＭ６１２内におけるＩＤY−ｋ、時刻データＤｔｂｃ、診断名情報データＧＤ、コメントデータＣＤ、ＩＤWを含むメッセージＭＳUP2をサーバ装置７に宛てて送信する（Ｓ１０７５）。ここで、時刻データＤｔｂｃは、医師Ｄ−ｍが、第1の操作で指定した異常部分ＢＣの発生時刻を示す。すなわち、医師Ｄ−ｍの診断の根拠となる異常部分ＢＣが特定される。このメッセージＭＳUP2は、インターネット９を介してサーバ装置７に送られる。
【００６４】
サーバ装置７のＣＰＵ７１１は、メッセージＭＳUP2を受信すると、そのメッセージＭＳUP2から、ＩＤY−ｋ、時刻データＤｔｄｃ、診断名情報データＧＤ、コメントデータＣＤ、およびＩＤWを取り出し、これらを含むレコードを、ＩＤWが示す生体情報データＷＤについての診断結果を示すレコードとして診断結果データベースＳＤＢに追加する（Ｓ１０７６）。
【００６５】
図１８は、診断確度算出処理を示すフローチャートである。診断確度算出処理は、サーバ装置７により実行される処理である。この処理は、生体情報データＷＤについての診断結果を示すレコードが診断結果データベースＳＤＢに追加されると、その生体情報データＷＤを対象生体情報データＷＤTRGTとして開始される。
【００６６】
診断確度算出処理において、サーバ装置７のＣＰＵ７１１は、対象生体情報データＷＤTRGTをハードディスク７２０から読み出してＲＡＭに記憶する（Ｓ１０８１）。ＣＰＵ７１１は、診断名合致生体情報データＷＤMTCHの個数ＮｕｍMTCHと診断名非合致生体情報データＷＤMISの個数ＮｕｍMISとを集計する（Ｓ１０８２）。このステップＳ１０８２では、ＣＰＵ７１１は、次のような処理を行う。まず、ＣＰＵ７１１は、解析結果データベースＲＤＢ−ｋ（ｋ＝１，２…）を検索対象として第１の検索処理を行う。この第１の検索処理では、対象生体情報データＷＤTRGTの送信元の利用者Ｙ−ｋ（例えば、利用者Ｙ−１とする）の解析結果データベースＲＤＢ−１の各レコードの中から、解析処理においてこの対象生体情報データＷＤTRGTの解析結果として追加されたレコードを抽出し、このレコード内の特徴情報ＩＤP−ｎを検索条件ＳＱRDBとする。その上で、ＣＰＵ７１１は、解析結果データベースＲＤＢ−ｋ（ｋ≠１）の各レコードの中から、検索条件ＳＱRDBである特徴情報ＩＤP−ｎと同じ特徴情報ＩＤP−ｎを含むレコードを抽出し、このレコードを検索結果ＳＲRDBとする。
【００６７】
次に、ＣＰＵ７１１は、生体情報データベースＷＤＢを検索対象とする第２の検索処理を行う。この第２の検索処理では、ＣＰＵ７１１は、検索結果ＳＲRDBである各レコードについて、当該レコード内のＩＤY−ｋを第１の検索条件ＳＱ１WDBとし、当該レコード内の時刻データＤｔｓｓが示す時刻ｔｓｓを第２の検索条件ＳＱ２WDBとする。そして、ＣＰＵ７１１は、生体情報データベースＷＤＢの各レコードの中から、検索条件ＳＱ１WDBと同じＩＤY−ｋを有する利用者Ｙ−ｋから送信され、且つ検索条件ＳＱ２WDBである時刻ｔｓｓを始点とする時間Ｔ２の間に測定された生体情報データＷＤについてのレコードを抽出し、このレコードを検索結果ＳＲWDBとする。
【００６８】
次に、ＣＰＵ７１１は、診断結果データベースＳＤＢを検索対象とする第３の検索処理を行う。この第３の検索処理では、ＣＰＵ７１１は、検索結果ＳＲWDBである各レコードについて、当該レコード内のＩＤY−ｋを第１の検索条件ＳＱ１SDBとし、当該レコード内の時刻データＤｔｂｃが示す時刻ｔｂｃを第２の検索条件ＳＱ２SDBとする。そして、ＣＰＵ７１１は、診断結果データベースＳＤＢの各レコードの中から、検索条件ＳＱ１SDBであるＩＤY−ｋを含み且つ検索条件ＳＱ２SDBと時刻ｔｓｓを始点とする時間Ｔ２（Ｔ２＝１分間）内の診断時刻ｔｄｃの時刻データＤｔｄｃを含むレコードを抽出し、このレコードを検索結果ＳＲSDBとする。
【００６９】
以上の検索を行った後、ＣＰＵ７１１は、検索結果ＳＲSDBであるレコード群を、次の２つのグループに分類する。
ａ６．グループＧＰMTCH
これは、検索結果ＳＲSDBであるレコード群のうち、対象生体情報データＷＤTRGTについての診断結果を示すものと同じ診断名情報データＧＤを含むレコードのグループである。
ｂ６．グループＧＰMIS
これは、検索結果ＳＲSDBであるレコード群のうち、対象生体情報データＷＤTRGTについての診断結果を示すものと異なる診断名情報データＧＤを含むレコードのグループである。
ＣＰＵ７１１は、グループＧＰMTCHに分類したレコードの総数を個数ＮｕｍMTCHとし、グループＧＰMISに分類したレコードの総数を個数ＮｕｍMISとする。
【００７０】
サーバ装置７のＣＰＵ７１１は、集計した２種類の個数ＮｕｍMTCHおよび個数ＮｕｍMISの関係から、対象生体情報データＷＤTRGTについての診断の確度を算出する（Ｓ１０８３）。より詳細に説明すると、このステップＳ１０８３では、ＣＰＵ７１１は、ＮｕｍMTCH／（ＮｕｍMTCH＋ＮｕｍMIS）を対象生体情報データＷＤTRGTについての診断の確度とし、この確度を示す確度情報データＡＤを診断結果データベースＳＤＢにおける新規レコードに収録する。
【００７１】
図１９は、診断結果通知処理を示すフローチャートである。診断結果通知処理は、携帯電話機４−ｋとサーバ装置７とにより実行される処理である。この処理は、携帯電話機４−ｋの操作キー４２１２によって診断結果の閲覧を指示する操作が行われると開始される。
【００７２】
診断結果通知処理において、携帯電話機４−ｋのＣＰＵ７１１は、診断結果閲覧サービスページへのアクセスを指示する操作が行われると、同サービスページの閲覧を求めるメッセージＭＳSVC3をサーバ装置７に宛てて送信する（Ｓ１０９１）。このメッセージＭＳSVC3は、移動体パケット通信網８及びインターネット９を介してサーバ装置７に送られる。サーバ装置７のＣＰＵ７１１は、メッセージＭＳSVC3を受信すると、診断結果閲覧サービスページの表示制御データＤＤSVC3を端末装置６−ｍに宛てて送信する（Ｓ１０９２）。表示制御データＤＤSVC3は、インターネット９を介して端末装置６−ｍに送られる。
【００７３】
携帯電話機４−ｋのＣＰＵ４５１４は、表示制御データＤＤSVC3が示す画面をディスプレイ４１１３に表示させる（Ｓ１０９３）。この画面には、ＩＤの入力を促す内容の文字列とＩＤ入力欄とが表示されている。利用者Ｙ−ｋは、端末装置６−ｍのマウス７６０及びキーボード７５０を操作し、画面のＩＤ入力欄に自身のＩＤY−ｋを入力する。携帯電話機４−ｋのＣＰＵ４５１４は、操作キー４２１２によって入力されたＩＤY−ｋをＲＡＭ４５１４に記憶する（Ｓ１０９４）。ＣＰＵ４５１４は、このＩＤY−ｋを含むメッセージＭＳDGNをサーバ装置７に送信する（Ｓ１０９５）。メッセージＭＳDGNは、移動体パケット通信網８及びインターネット９を介してサーバ装置７に送られる。
【００７４】
サーバ装置７のＣＰＵ４５１４は、このメッセージＭＳDGNからＩＤY−ｋを取り出し、このＩＤY−ｋを用いた所定の認証処理を行った後、診断結果データベースＳＤＢからこのＩＤY−ｋと対応付けられた診断名情報データＧＤ及び確度情報データＡＤを取得してＲＡＭ４５１４に記憶する（Ｓ１０９６）。ＣＰＵ４５１４は、この診断名情報データＧＤ及び確度情報データＡＤを埋め込んだ診断結果通知画面の表示制御データＤＤDGNを生成し、この表示制御データＤＤDGNを携帯電話機４−ｋに宛てて送信する（Ｓ１０９７）。表示制御データＤＤDGNは、インターネット９及び移動体パケット通信網８を介して携帯電話機４−ｋに送られる。
【００７５】
携帯電話機４−ｋのＣＰＵ４５１４は、表示制御データＤＤDGNを受信すると、この表示制御データＤＤDGNが示す画面である診断結果通知画面をディスプレイ４１１３に表示させる（Ｓ１０９８）。利用者Ｙ−ｋは、この画面を参照することにより、自身の脈波についての医師Ｄ−ｍの診断結果である診断名と、その確度とを知ることができる。
【００７６】
以上説明した本実施形態によると、次のような効果が得られる。
第１に、本実施形態では、医師による診断結果である診断名を示す診断名情報データＧＤと、その確度を示す確度情報データＡＤとが携帯電話機４−ｋに宛てて送信される。自身の身体から検出された生体情報データＷＤをサーバ装置７に送って診断を受ける利用者Ｙ−ｋは、サーバ装置７から診断名情報データＧＤとともに送信されてくる確度情報データＡＤが示す確度を参照することにより、自身と同じような生体情報データＷＤが検出された人のうちのどの程度の人が同じ診断名の診断を下されていたのかを知ることができる。よって、本発明によると、利用者Ｙ−ｋに対して普遍性が担保された診断結果を提供できることができる。
【００７７】
第２に、本実施形態では、端末装置６−ｍは、利用者Ｙ−ｋの生体情報データＷＤが示す脈波と特徴情報ＩＤP−ｎを示すマークＭＫを含む画面の表示制御データＤＤREQ2をを受信し、受信した表示制御データＤＤREQ2をディスプレイ６４０に表示させる。これによると、医師Ｄ−ｍは、画面内におけるマークＭＫを活用することにより、診断を効率的に行うことができる。
【００７８】
第３に、本実施形態では、ハードディスク７２０において、対象生体情報データＷＤTRGTと同じ種類の特徴情報ＩＤP−ｎと対応付けられている他の生体情報データＷＤのうち、当該生体情報データＷＤTRGTと同じ診断名情報ＩＤP−ｎと対応付けられている生体情報データＷＤである診断名合致生体情報データＷＤMTCHの個数ＮｕｍMTCHと、当該生体情報データＷＤTRGTと異なる診断名情報ＩＤP−ｎと対応付けられている生体情報データＷＤである診断名非合致生体情報データＷＤMTCHの個数ＮｕｍMISとを集計し、集計した２種類の個数ＮｕｍMTCH及びＮｕｍMISの関係から、当該生体情報データＷＤTRGTについての確度を求める。よって、信頼性の高い確度情報データＡＤを求めることができる。
【００７９】
（Ｃ：変形）
以上、本発明の実施形態について説明したが、この実施形態に以下に述べる変形を加えても勿論良い。
（１）上記実施形態では、生体情報測定装置１−ｋに接続される装置である携帯電話機４が、サーバ装置７に対して診断結果を求めるメッセージＭＳDGNを送信し、サーバ装置７から診断結果通知画面の表示制御データＤＤDGNを受信し、この表示制御データＤＤDGNが示す画面をディスプレイ４１１３に表示させた。しかし、生体情報測定装置１−ｋがメッセージＭＳDGNをサーバ装置７に送信してもよい。また、携帯電話機４が、サーバ装置７から受信した表示制御データＤＤDGNを生体情報測定装置１に伝送し、生体情報測定装置１がその表示部１４に診断結果通知画面を表示させてもよい。
【００８０】
（２）上記実施形態における診断確度算出処理では、ＣＰＵ７１１は、ＮｕｍMTCH／（ＮｕｍMTCH＋ＮｕｍMIS）を確度算出対象である診断名情報データＧＤについての診断の確度とした。しかし、この確度の算出方法は一例に過ぎない。例えば、診断名合致生体情報データＷＤMTCHの個数ＮｕｍMTCHと、診断名非合致生体情報データＷＤMISの個数ＮｕｍMISとの関係を示す別の値（例えば、ＮｕｍMTCH／ＮｕｍMIS）を確度算出対象である診断名情報データＧＤについての診断の確度としてもよい。また、診断結果データベースＳＤＢ内における各レコードのうち、医師Ｄ−ｍによる診断が下されていないものを診断名非合致生体情報データＷＤMISの個数ＮｕｍMISに含めてカウントしてもよい。より具体的に説明すると、この算出方法では、ＣＰＵ７１１は、上述した第３の検索処理において、診断結果データベースＳＤＢの各レコードの中から、検索条件ＳＱ１SDB及びＳＱ２SDBにマッチしているものの診断名情報データＧＤが未だ収録されていないレコードを抽出し、抽出したレコードの個数ＮｕｍMIS’を集計する。そして、ＣＰＵ７１１は、ＮｕｍMTCH／（ＮｕｍMTCH＋ＮｕｍMIS＋ＮｕｍMIS’）を確度算出対象である診断名情報データＧＤについての診断の確度とする。
【００８１】
（３）上記実施形態では、生体情報測定装置１−ｋは、利用者Ｙ−ｋの脈波を生体情報データＷＤとして検出した。しかし、利用者Ｙ−ｋの血圧や心拍などを生体情報データＷＤとして検出してもよい。
【００８２】
（４）上記実施形態では、ハードディスク７２０に記憶された全ての生体情報データＷＤを対象生体情報データＷＤTRGTとして診断確度算出処理を行った。しかし、ハードディスク７２０内の生体情報データＷＤのうち所定の条件を満たす生体情報データＷＤ（例えば、確度の算出を希望する利用者Ｙ−ｋの生体情報測定装置１−ｋから送信された生体情報データＷＤ）だけを対象生体情報データＷＤTRGTとして診断確度算出処理を行ってもよい。
【００８３】
（５）また、上述した実施形態では、脈波センサー３０はセンサー固定用バンド３４により被験者の人指し指の根元から第２指関節までの間の部分に巻きつけられているが、脈波脈波センサー３０をカフ（腕帯）により被験者の上腕部または前腕部に巻き付ける構造にしても良い。
さらに、上述した実施形態では、生体情報測定装置１−ｋは、手首に装着される装置本体１０と、人指し指の根元から第２指関節までの間の部分に装着される脈波センサー３０とを備え、これらはケーブル２０を介して接続される構造を有しているが、脈波センサー３０と装置本体１０とが一体として構成され、共にリストバンド１２により被験者の手首に装着する構造にしても良い。この場合、ケーブル２０が不要となり、装置本体１０と脈波センサー３０とが一体となった腕時計構造を有するため、生体情報測定装置１−ｋの使い勝手の向上が可能となる。
また、上述した実施形態では、装置本体１０を腕時計構造とし、リストバンド１２により被験者の手首に巻き付ける構造を有しているが、装置本体１０を携帯電話等の外部の機器上に設け、装置本体１０が設けられた携帯電話等と脈波センサー３０との間で無線通信を実行してもよい。この場合、脈波センサー３０は、手首、上腕部あるいは前腕部に巻きつけるカフ（腕帯）としてもよい。あるいは、耳朶に装着する構成としてもよい。装置本体１０は、携帯電話の有する表示機能、入力機能、及びＣＰＵを利用できるため、生体情報測定装置１−ｋの低コスト化が可能となる。
【００８４】
（６）上記実施形態の診断支援処理では、ＣＰＵ７１１は、脈波画像ＷＩにおける異常部分ＢＣを示す複数のマークＭＫのうち、医師Ｄ−ｍが選択した診断の根拠となる一つの異常部分ＢＣの発生時刻を示す時刻データＤｔｂｃをサーバ装置７に送信したが、本発明はこれに限定されるものではなく、複数の異常部分ＢＣの各発生時刻を時刻データＤｔｂｃとしてサーバ装置７に送信してもよい。より具体的には、医師Ｄ−ｍが選択した異常部分ＢＣを中心とする所定期間（例えば、３分）に発生した各異常部分ＢＣの発生時刻を時刻データＤｔｂｃとしてサーバ装置７に送信してもよい。あるいは、医師Ｄ−ｍが２個以上の異常部分ＢＣを選択可能とし、これらの発生時刻を時刻データＤｔｂｃとしてサーバ装置７に送信してもよい。この場合には、例えば、医師Ｄ−ｍが、キーボードのシフトキーを押しながら２個以上の異常部分ＢＣをマウスポインタで選択することにより、診断の根拠となる異常部分ＢＣを複数指定してもよい。
【符号の説明】
【００８５】
１…生体情報測定装置、４…携帯電話機、６…端末装置、７…サーバ装置、８…移動体パケット通信網、９…インターネット、１０…装置本体、１２…リストバンド、１４…表示部、１６…ボタンスイッチ、２０…ケーブル、３０…脈波センサ、３２ａ…発光素子、３２ｂ…受光素子、３４…センサ固定用バンド、１１０…アナログ回路部、１１１２…ＩＶ変換回路、１１１６…アンプ、１１２０…駆動回路、１２０…Ａ／Ｄ変換回路、１３０…制御回路部、６１１，７１１，１３１５，４５１４…ＣＰＵ、６１２，７１２，１３１６，４５１５…ＲＡＭ、６１３，７１３，１３１７，４５１６…ＲＯＭ、１３１８，４５１７…ＥＥＰＲＯＭ、１５０，４２１４…通信インターフェース、４４０，６１０，７１０…制御部、６２０，７２０…ハードディスク、４５０…バッテリ、６３０，７３０…ＮＩＣ、６４０，４１１３…ディスプレイ、６５０…キーボード、６６０…マウス、４５１１…無線通信部、４２４２…操作キー、４５１２…音声処理部、４５１３…表示処理部、４２１３…スピーカ、４１１２…マイクロホン。
【図１】
0005971362.tif 000002
【図２】
0005971362.tif 000003
【図３】
0005971362.tif 000004
【図４】
0005971362.tif 000005
【図５】
0005971362.tif 000006
【図６】
0005971362.tif 000007
【図７】
0005971362.tif 000008
【図８】
0005971362.tif 000009
【図９】
0005971362.tif 000010
【図１０】
0005971362.tif 000011
【図１１】
0005971362.tif 000012
【図１２】
0005971362.tif 000013
【図１３】
0005971362.tif 000014
【図１４】
0005971362.tif 000015
【図１５】
0005971362.tif 000016
【図１６】
0005971362.tif 000017
【図１７】
0005971362.tif 000018
【図１８】
0005971362.tif 000019
【図１９】
0005971362.tif 000020